(57)【特許請求の範囲】
【請求項１】
下部筐体と上部筐体とを有し、ヒンジ軸の軸芯が前記下部筐体のフロントケースの上面より上側に偏心したヒンジ部により前記下部筐体と前記上部筐体とを接続する折畳み型携帯端末であって、
前記下部筐体の前記フロントケースのヒンジ部側の端部にケース側壁を有し、
前記折畳み型携帯端末を閉じた状態で、前記上部筐体のフロントケースの前記ヒンジ部の一部である円筒形状と、前記下部筐体のフロントケースとの間の間隙を覆う離間した第１の突起形状及び第２の突起形状を前記ケース側壁の上部に形成し、
これらの前記第１の突起形状及び前記第２の突起形状は、前記ケース側壁に向けて下る第１の傾斜面及び第２の傾斜面をそれぞれ有し、
前記第１の突起形状と前記第２の突起形状の間の前記ケース側壁は、前記第１の傾斜面と前記第２の傾斜面とに挟まれたこれらの前記傾斜面に連続する第３の傾斜面を形成し、
前記折畳み型携帯端末を開いた状態で、前記上部筐体のリアケースのヒンジ部側の少なくとも側壁の端部又は端部近傍の一部が前記第３の傾斜面、又は第１及び第２の傾斜面、又は前記第１から第３の傾斜面に当接することを特徴とする折畳み型携帯端末。
【請求項２】
前記ケース側壁は、前記下部筐体のリアケース側からフロントケース上面に対し略垂直方向に延在することを特徴とする請求項１記載の折畳み型携帯端末。
【請求項３】
前記下部筐体は前記ヒンジ部の下側及び前記第１から第３の傾斜面の下側に実装部品の収納領域を形成したことを特徴とする請求項１、又は２記載の折畳み型携帯端末。
【請求項４】
前記ヒンジ部は、前記下部筐体に形成された第１及び第２の円筒形状と、この第１及び第２の円筒形状とそれぞれヒンジ結合する前記上部筐体に形成された第３及び第４の円筒形状と、を備えることを特徴とする請求項１、２、又は３記載の折畳み型携帯端末。
【請求項５】
前記第３及び第４の円筒形状はそれぞれ前記ヒンジ軸の両端の位置に形成されたことを特徴とする請求項４記載の折畳み型携帯端末。
【請求項６】
前記第１の突起形状と前記第２の突起形状は、前記上部筐体に形成された前記第３及び第４の円筒形状と、前記下部筐体のフロントケースとの間隙を覆うようにしたことを特徴とする請求項５記載の折畳み型携帯端末。
【請求項７】
前記第１の突起形状と前記第２の突起形状に挟まれた前記フロントケースのケース側壁を別部材で構成し、前記フロントケースに取り付けることを特徴とする請求項６記載の折畳み型携帯端末。
【発明の詳細な説明】
【技術分野】
【０００１】
本発明は折畳み型携帯端末に関し、特に折畳み部の近傍の筐体構造を改良した折畳み式携帯端末に関する。
【背景技術】
【０００２】
携帯電話機等の折畳み型携帯端末は、デザイン性の向上のためアンテナ内蔵タイプのものが主流となってきているが、このような内蔵アンテナ等の実装スペースとしては回路基板等の金属物等と離れた箇所に配置することが高周波特性の劣化等を防止する意味でも重要である。
【０００３】
この点、ヒンジ軸の軸芯を下部筐体のフロントケースの上面より上側に偏心させたヒンジ部を有する折畳み型携帯端末は、下部筐体のフロントケースのヒンジ部の下側に回路基板等から離れたスペースが確保でき、内蔵アンテナ等の好適な実装スペースとなるという利点を有している。
【０００４】
図６は、従来の折畳み部の構造を備える折畳み型携帯端末の筐体構造を示す図である（特許文献１参照）。  
この折畳み型携帯電話機は上部筐体１０１と下部筐体１０２が円筒状の外観でなるヒンジ部Ｂで回動可能に結合した筐体構造を有し、各筐体１０１、１０２はそれぞれフロントケースとリアケースとから構成されている。つまり、上部筐体１０１は開いた状態で前面となるフロントケース１０１Ｆと、背面のリアケース１０１Ｒとで構成され、下部筐体１０２は開いた状態で前面となるフロントケース１０２Ｆと背面のリアケース１０２Ｒとで構成されている。
【０００５】
また、ヒンジ部Ｂはそのヒンジ回転軸（軸芯）が下部筐体１０２のフロントケース１０２Ｆの上面より離れた位置に偏心しており、両筐体のヒンジ結合のため、下部筐体１０２のフロントケース１０２Ｆの長手方向の端部近傍にヒンジ結合用の２つの円筒形状１０１１、１０１２が形成され、上部筐体１０１のフロントケース１０１Ｆの長手方向の端部に２つの円筒形状１０２１、１０２２が形成され、前記円筒形状１０１１と１０２１、１０１２と１０２２とが回動可能に結合している。
【特許文献１】“ＩＴｍｅｄｉａモバイル：フルブラウザ＋２．５インチ液晶＋ドラクエII―「Ｎ９０１ｉＳ」”第１頁、第４〜５頁、［onlin］ＩＴｍｅｄｉａ  Ｍｏｂｉｌｅビジネスモバイル／ＮＴＴドコモ関連記事等、連載、［平成１７年８月２日検索］インターネット＜ＵＲＬ：http://www.itmedia.co.jp/mobile/articles/0505/17/news029.html」＞
【発明の開示】
【発明が解決しようとする課題】
【０００６】
図６に示すように、ヒンジ軸の軸芯を下部筐体１０２のフロントケース１０２Ｆの上面より上側に偏心させたヒンジ部Ｂを有する折畳み型携帯端末は、下部筐体１０２のヒンジ軸Ｂの下側からヒンジ軸の後方まで部品収納領域として利用可能であり、アンテナ等の実装が可能である。
【０００７】
しかし、下部筐体１０２をヒンジ軸より後方まで延長することによりヒンジ軸Ｂの円筒形状の後部周囲と下部筐体１０２（フロントケース１０２Ｆ）の延長した上面との間に間隙Ｂ１が形成され、筐体を開く際にヒンジ軸Ｂの回動による指等の引き込み又は挟み込みが起こり易くなり、筐体の開閉時に違和感を与えたり操作感を悪くするという問題がある。
【０００８】
そこで本発明の目的は、収納スペースを確保でき折畳み操作感のよい折畳み型携帯端末を提供することにある。  
本発明の他の目的は、筐体を開いた際の上側筐体と下側筐体とによるヒンジ部後部のへの指等の挟み込みを防止できる折畳み型携帯端末を提供することにある。  
本発明の他の目的は、ヒンジ部後部の間隙を覆うことにより、下部筐体のヒンジ部側の端部の実装領域を増加し、指等の挟み込みを防止し、実装効率及びデザイン的にも優れた折畳み型携帯端末を提供することにある。
【課題を解決するための手段】
【０００９】
本発明の折畳み型携帯端末は、下部筐体と上部筐体とを有し、ヒンジ軸の軸芯が前記下部筐体のフロントケースの上面より上側に偏心したヒンジ部により前記下部筐体と前記上部筐体とを接続する折畳み型携帯端末であって、前記下部筐体の前記フロントケースのヒンジ部側の端部にケース側壁を有し、 前記折畳み型携帯端末を閉じた状態で、前記上部筐体のフロントケースの前記ヒンジ部の一部である円筒形状と、前記下部筐体のフロントケースとの間の間隙を覆う離間した第１の突起形状及び第２の突起形状を前記ケース側壁の上部に形成し、 これらの前記第１の突起形状及び前記第２の突起形状は、前記ケース側壁に向けて下る第１の傾斜面及び第２の傾斜面をそれぞれ有し、  前記第１の突起形状と前記第２の突起形状の間の前記ケース側壁は、前記第１の傾斜面と前記第２の傾斜面とに挟まれたこれらの前記傾斜面に連続する第３の傾斜面を形成し、 前記折畳み型携帯端末を開いた状態で、前記上部筐体のリアケースのヒンジ部側の少なくとも側壁の端部又は端部近傍の一部が前記第１から第３のいずれかの傾斜面、又は前記第１から第３の傾斜面に当接するようにしている。
本発明の折畳み型携帯端末の前記ケース側壁は、前記下部筐体のリアケース側からフロントケース上面に対し略垂直方向に延在するようにしている。
本発明の折畳み型携帯端末の前記下部筐体は、前記ヒンジ部の下側及び前記第１から第３の傾斜面の下側に実装部品の収納領域を形成するようにしている。
【００１０】
本発明の折畳み型携帯端末の前記ヒンジ部は、前記下部筐体に形成された第１及び第２の円筒形状と、この第１及び第２の円筒形状とそれぞれヒンジ結合する前記上部筐体に形成された第３及び第４の円筒形状と、を備えている。
本発明の折畳み型携帯端末の前記第３及び第４の円筒形状はそれぞれ前記ヒンジ軸の両端の位置に形成されるようにしている。
本発明の折畳み型携帯端末の前記第１の突起形状と前記第２の突起形状は、前記上部筐体に形成された前記第３及び第４の円筒形状と、前記下部筐体のフロントケースとの間隙を覆うようにしている。
本発明の折畳み型携帯端末は、前記第１の突起形状と前記第２の突起形状に挟まれた前記フロントケースのケース側壁を別部材で構成し、前記フロントケースに取り付けるようにしている。
【００１１】
また、上部筐体のリアケースの長手方向の側壁の面と下部筐体のフロントケースの傾斜面とのなす角度は小さな所定角度θに設計し、両者の接触部分をヒンジ軸と平行な線状とすることができ、また、同角度θをゼロとし前記側壁を傾斜面の少なくとも一部と面で受けるように構成することが可能である。
【発明の効果】
【００１２】
本発明によれば、下部筐体のフロントケースのヒンジ軸側のケース側壁に上部からフロントケース上面と鈍角に傾斜する傾斜面を備え、開いた状態で上部筐体のリアケースのヒンジ軸側の少なくとも側壁の端部又は端部近傍の一部が前記傾斜面に当接することにより、筐体を開いた際に、リアケース（上部筐体）のヒンジ軸側の側壁のヒンジ軸周りの回動とフロントケース（下側筐体）のヒンジ側の傾斜面とにより、指等を外側に押し出すように作用するので、リアケース（上部筐体）の端部とフロントケース（下部筐体）の端部の間の接触部分で指等の挟み込みが防止される。
【００１３】
特に、傾斜面は、前記下部筐体のフロントケースとヒンジ部との間の間隙を覆う（埋める）ように形成されたことにより、フロントケースとヒンジ部との間への物の進入が防止され、筐体を開く際に指等の巻き込みを防止できるとともに、下部筐体のヒンジ部の後方にも実装スペースを形成することが可能となる。
【００１４】
また、ヒンジ部の軸芯を上側筐体側に偏心することによる実装領域の確保に加え、前記傾斜面の裏側にも空間を形成することができフロントケース（下部筐体）のヒンジ軸側の端部にも実装領域が確保でき、全体として実装効率を上げることができる。
【００１５】
また、フロントケース（下部筐体）のヒンジ軸側の端部近傍の円筒形状との間隙を覆い、前記傾斜面の一部を形成する２つの突起形状を備えることにより、下部筐体のヒンジ部の後方の軸方向両端部に実装スペースを形成可能であり、更に、前記両端部の隙間への物の侵入を防止でき指挟み等も防止できる。
【００１６】
更に、２つの突起形状に挟まれた前記フロントケースのケース側壁を取り外し可能に構成することにより、上部筐体及び下部筐体の各リアケースを外した状態で、各フロントケースのリア側から上下筐体にそれぞれ実装する回路基板を電気的に接続するフレキシ基盤で接続した状態のまま実装することができ、組み立てが容易となる。
【００１７】
また、筐体の回路基板等から離れたヒンジ軸の下側及びその後方に実装領域を確保でき、アンテナ等を実装するとアンテナ性能の向上が図れる等、通信部品の実装に好適である。また、実装領域の確保により下部筐体及び上側筐体の各部にカーブ形状を形成するところの絞込みが可能でありデザイン性に優れた形状の設計が可能である。
【発明を実施するための最良の形態】
【００１８】
本発明の折畳み型携帯端末について折畳み型携帯電話機の実施の形態について以下説明する。  
（構成の説明）
図１は、本発明の一実施の形態の折畳み型携帯電話機の上部側の外観図であり、図２はその側面側の外観図である。本実施の形態の折畳み型携帯電話機は上部筐体１と下部筐体２が円筒状の外観でなるヒンジ部Ａで回動可能に結合した筐体構造を有し、各筐体１、２はそれぞれフロントケースとリアケースとから構成されている。つまり、上部筐体１は開いた状態で前面となり液晶表示画面（ＬＣＤ）５等を備えるフロントケース１Ｆと、背面のリアケース１Ｒとが係合することにより構成され、下部筐体２は開いた状態で前面となりキー操作部４を備えるフロントケース２Ｆと背面のリアケース２Ｒとが係合することにより構成される。
【００１９】
ヒンジ部Ａはそのヒンジ回転軸が下部筐体２のフロントケース２Ｆの上面より離れた位置に偏心しており、両筐体のヒンジ結合のため、下部筐体２のフロントケース２Ｆの長手方向の端部近傍にヒンジ結合用の２つの円筒形状２１、２２が形成されており、また、上部筐体１のフロントケース１Ｆの長手方向の端部に、前記２つの円筒形状２１、２２とヒンジ結合する２つの円筒形状１１、１２が形成されている。ここで、２つの円筒形状１１及び１２はヒンジ軸の両端の位置に配置され、２つの円筒形状２１及び２２はその内側に位置し、それぞれ前記円筒形状１１と２１及び１２と２２とが回動可能に結合されている。
【００２０】
また、２つの円筒形状２１、２２で挟まれる位置に形成されている円筒形状２３は、上部筐体１のフロントケース１Ｆの端部近傍とリアケース１Ｒの端部からそれぞれ半円形に湾曲して延在する曲面部が係合することによりヒンジ部Ａの一部を構成し、１つのヒンジ部としての外観をなすように形成されている。更に円筒形状２３は、上部筐体１の内部に通じる略円筒状の空洞を形成し、また、円筒形状２２には円筒形状１２側と回動可能に結合する軸方向の一定幅を除き円筒形状２３に形成された空洞と連通し、更にフロントケース１Ｆ内と通じる空洞が形成され、円筒形状２２及び円筒形状２３の内部空洞を介して上下筐体内の回路基板の間を電気接続するらせん状に１回転したフレキシブル基板が通る空間を形成している。
【００２１】
更にヒンジ部Ａの円筒形状の半径は、ヒンジ軸（軸芯）とフロントケース上面との間隔と同等ないし僅かに小さく設定することが可能であり、この場合、下部筐体２のフロントケース２Ｆは上部筐体１のフロントケース１Ｆの前記円筒形状１１及び１２と対向する箇所（下側）に該円筒形状に応じた曲面でなる窪みを有する形状とする。
【００２２】
図３は下部筐体のヒンジ部近傍を示す外観図である。図１、図２及び図３により本折畳み型携帯電話機のより詳細な構成を説明する。
本実施の形態では図１〜３に示すように、下部筐体２のフロントケース２Ｆのヒンジ部Ａ側の端部にケース側壁が形成されており、このケース側壁の上部には上部筐体１のフロントケース１Ｆの円筒形状１１、１２との間に生じる間隙を覆う（埋める）ように突起形状２Ｆ１、２Ｆ２が形成されている。  そして、突起形状２Ｆ１、２Ｆ２には、ケース側壁のフロントケース２Ｆの長手方向の端部に向けて下る傾斜面２Ｆ１ａ、２Ｆ２ａが形成されている。また、フロントケース２Ｆの２つの突起形状２Ｆ１と２Ｆ２の間のケース側壁は突起形状２Ｆ１、２Ｆ２の前記傾斜面２Ｆ１ａ、２Ｆ２ａから連続する傾斜面２Ｆ３ａが形成されている。なお、同図の例では突起形状２Ｆ１、２Ｆ２の上端部に平坦形状を形成している。
【００２３】
一方、図１、２に示すように、上部筐体１のリアケース１Ｒはヒンジ部Ａ側の端部の側壁１Ｒ１がリアケース１Ｒの上面又はフロントケース１Ｆの上面に対し直角ないし鈍角に形成され、筐体を開いた状態で、前記側壁１Ｒ１がフロントケース１Ｆの傾斜面２Ｆ１ａ、２Ｆ２ａ、２Ｆ３ａと対向し、前記側壁１Ｒ１の少なくとも端部又はその近傍が傾斜面２Ｆ３ａ、又は傾斜面２Ｆ１ａ及び２Ｆ２ａ、又は傾斜面２Ｆ１ａ及び２Ｆ２ａ及び２Ｆ３ａと当接（接触）し、筐体を開いた状態の位置決めがなされるように構成されている。
【００２４】
図４は、本折畳み型携帯電話機を開いた状態を示す図である。上部筐体１の側壁１Ｒ１が下部筐体２のフロントケース２Ｆの傾斜面２Ｆ１ａ、２Ｆ２ａ、２Ｆ３ａと対向し、本例では前記側壁１Ｒ１の端部（先端部）の近傍が突起形状の傾斜面２Ｆ１ａ（２Ｆ２ａ、２Ｆ３ａ）の上端部と接触する。ここで側壁１Ｒ１の面と傾斜面２Ｆ１ａ（２Ｆ２ａ、２Ｆ３ａ）とのなす角度は小さな所定角度θとなるように設計される。この場合、接触部分をヒンジ軸方向と平行な線状とすることができ、また、同角度θはゼロとし側壁１Ｒ１を傾斜面２Ｆ１ａ（２Ｆ２ａ、２Ｆ３ａ）の少なくとも一部と面状に接触するように構成することが可能である。
【００２５】
（動作の説明）
次に、本実施の形態の折畳み型携帯電話機の筐体開閉動作を説明する。折畳み型携帯電話機の筐体を折畳んだ状態では、下部筐体２のフロントケース２Ｆのケース側壁の傾斜面２Ｆ３ａと突起形状２Ｆ１、２Ｆ２の傾斜面２Ｆ１ａ及び２Ｆ２ａとにより、ヒンジ部Ａの円筒形状とフロントケース２Ｆの間の間隙や溝形状が覆われ、ヒンジ軸方向の全域にわたりなだらかな形状を有している。また、折畳み型携帯電話機の筐体を開く際には、前記フロントケース２Ｆとヒンジ部Ａの円筒形状の間の隙間が覆われていることにより指又はその一部等の巻き込みが防止される。更に、筐体を完全に開く際、上部筐体１の回動による上部筐体１のリアケース１Ｒの端部の側壁１Ｒ１とフロントケース２Ｆのヒンジ部Ａ側の端部の間に指又はその一部等が介在していたとしても、側壁１Ｒ１による押圧により前記傾斜面上を滑り押し出されるから指又はその一部等が格別の違和感無く押し出され、軽い指は挟みも発生することがない。
【００２６】
（他の実施の形態）
図５は本発明の他の実施の形態を示す図である。本実施の形態では、下部筐体２のフロントケース２Ｆの２つの突起形状２Ｆ１、２Ｆ２の間の側壁部分をフロントケース２Ｆとは独立したパーツであるケース側壁部材（カバー）３とし、フロントケース２Ｆに対し係合させヒンジ部Ａの後方のケース側壁として構成したものである。同図は折畳み型携帯電話機の上部筐体１及び下部筐体２のそれぞれのリアケース１Ｒ、２Ｒを取り外すとともに、前記ケース側壁部材３を取り外した状態を示している。
【００２７】
本例では前述の実施の形態と同様にヒンジ部Ａのヒンジ軸の両端に上部筐体１のフロントケース１Ｆにそれぞれ円筒形状が形成された構成でなり、ケース側壁部材３には下部筐体２のフロントケース２Ｆの前記２つの円筒形状の下の突起形状２Ｆ１、２Ｆ２の傾斜面から連続する傾斜面３１が形成されている。また、ケース側壁部材（カバー）３にはフロントケース２Ｆへの取り付け時に固定するためのツメ３２をその両端部に設けておりフロントケース２Ｆ側のツメ３２の受け部と係合するように構成している。
【００２８】
本実施の形態でも下部筐体２のフロントケース２Ｆの突起形状（図示せず）とケース側壁部材（カバー）３の傾斜面３２により実装スペースの確保と、筐体を開く際に上部筐体１のリアケース１Ｒの側壁１Ｒ１と下部筐体２のフロントケース２Ｆのヒンジ部側の端部等との間の指の挟み込み等が防止でき、また、前記傾斜面３１等と側壁１Ｒ１又はその端部との接触（当接）を面又は線状として確実な位置決めが可能である。
【００２９】
また、本実施の形態では、ケース側壁部材３を取り外した状態で略円筒状の空洞Ａ１（図１に示す２２、２３の内部空洞）に回路基板Ｃ、Ｄと電気的に接続されるフレキシ基板Ｅを実装可能である。特に２つのリアケースを取り外した状態では隣接する円筒形状により形成される連通する略円筒状の空洞Ａ１を介し、上下筐体１、２の２つの回路基板Ｃ、Ｄをフレキシブル基板Ｅにより接続し、回路基板Ｃ、Ｄを１回転させてフレキシブル基板Ｅをらせん状とし、そのまま回路基板とともに両フロントケース１Ｆ、２Ｆに実装できるという利点を有する。
【図面の簡単な説明】
【００３０】
【図１】本発明の実施の形態の折畳み型携帯電話機を示す上面図である。
【図２】本実施の形態の折畳み型携帯電話機を示す側面図である。
【図３】本実施の形態のヒンジ部近傍の筐体構造を示す図である。
【図４】本実施の形態の折畳み型携帯電話機を開いた状態を示す側面図である。
【図５】本発明の他の実施の形態を示す斜視図である。
【図６】従来の折畳み型携帯電話機を示す図である。
【符号の説明】
【００３１】
１、１０１  上部筐体
２、１０２  下部筐体
３  ケース側壁
４  ＬＣＤ
５  キー操作部
１Ｆ、１０１Ｆ  上部筐体のフロントケース
２Ｆ、１０２Ｆ  下部筐体のフロントケース
１Ｒ、１０１Ｒ  上部筐体のリアケース
２Ｒ、１０２Ｒ  下部筐体のリアケース
１１、１２、２１、２２、２３  円筒形状
２Ｆ１、２Ｆ２  突起形状
２Ｆ１ａ、２Ｆ２ａ、２Ｆ３ａ  傾斜面
Ａ、Ｂ  ヒンジ部
Ｃ、Ｄ  回路基板
Ｅ  フレキシ基板
Ｂ１  間隙
Ａ１  略円筒状の空洞
【図１】
0004525516.tif 000002
【図２】
0004525516.tif 000003
【図３】
0004525516.tif 000004
【図４】
0004525516.tif 000005
【図５】
0004525516.tif 000006
【図６】
0004525516.tif 000007